(57)【要約】      （修正有）【課題】強い衝撃力が容器に作用した場合、容器内に装填されている細芯の棒状化粧料が折れたりする損傷を防止できる棒状化粧料容器を提供する。【解決手段】棒状化粧料容器は、内部に長さ方向の雄ネジ受け部４を備える円筒状の化粧料容器本体２と、化粧料容器本体の先端側に化粧料容器本体と相対回転可能に配置され、内部の円形孔から突設装填される細芯の棒状化粧料４１の外周に当接する複数の抑え片を備える円筒状のスリーブ１１と、円形孔内で各抑え片間の各隙間を長さ方向に摺動可能とした複数の花弁類似形状の摺接突部を備える雄ネジ体基部と、雄ネジ体基部から後方に突設され、化粧料容器本体の雄ネジ受け部に収納し、雄ネジ受け部より先方側で、かつ、雄ネジ体基部の後側に配置した雌ネジ部と螺合して送りネジ機構部を構成する雄ネジ部３５と、雄ネジ体基部から先方に突設され、棒状化粧料の後端側を保持するチャック片とを具備するバルクチャック雄ネジ体３１とを有する。【選択図】図６
0003221247.tif 000002
【実用新案登録請求の範囲】
【請求項１】
内部に長さ方向の受けネジ部雄ネジ受け部を備える円筒状の化粧料容器本体と、
前記化粧料容器本体の先端側にこの化粧料容器本体と相対回転可能に配置されるとともに、内部の円形孔から間に隙間を有しつつ突設配置され装填される細芯の棒状化粧料の外周に当接させる長さ方向に沿った複数の抑え片を備える円筒状のスリーブと、
前記円形孔内で前記複数の抑え片間の各隙間を長さ方向に摺動可能とした複数の花弁類似形状の摺接突部を備える雄ネジ体基部と、前記雄ネジ体基部から後方に突設され、前記化粧料容器本体の受けネジ部雄ネジ受け部に収納し、当該雄ネジ受け部より先方側で、かつ、前記雄ネジ体基部の後側に配置した雌ネジ部と螺合させて送りネジ機構部を構成する雄ネジ部と、前記雄ネジ体基部から先方に突設され、前記スリーブ内に装填した細芯の棒状化粧料の後端側を保持するチャック片と、を具備するバルクチャック雄ネジ体と、
を有し、
前記送りネジ機構部による雄ネジ部への先方への送り力を受けて、前記雄ネジ体基部の各摺接突部を前記複数の抑え片間の各隙間を長さ方向先方に摺動させ、前記チャック片により保持され前記各抑え片が外周に当接している棒状化粧料の先端側を前記スリーブの先端開口孔から外方に繰り出し可能としたことを特徴とする棒状化粧料容器。
【請求項２】
内部に長さ方向の受けネジ部雄ネジ受け部を備える円筒状の化粧料容器本体と、
前記化粧料容器本体の先端側にこの化粧料容器本体と相対回転可能に配置されるとともに、内部の円形孔から間に隙間を有しつつ突設配置され装填される細芯の棒状化粧料の外周に当接させる長さ方向に沿った複数の抑え片を備える円筒状のスリーブと、
前記円形孔内で前記複数の抑え片間の各隙間を長さ方向に摺動可能とした複数の花弁類似形状の摺接突部を備える雄ネジ体基部と、前記雄ネジ体基部から後方に突設され、前記化粧料容器本体の受けネジ部雄ネジ受け部に収納し、当該雄ネジ受け部より先方側で、かつ、前記雄ネジ体基部の後側に配置したラッチ機構付雌ネジ体と螺合させて送りネジ機構部を構成する雄ネジ部と、前記雄ネジ体基部から先方に突設され、前記スリーブ内に装填した細芯の棒状化粧料の後端側を保持するチャック片と、を具備するバルクチャック雄ネジ体と、
前記化粧料容器本体内の受けネジ部雄ネジ受け部より先方側に設けた非ネジ内周部の位置で、かつ、前記雄ネジ体基部の後側に配置した前記雄ネジ部に係合するラッチ片を備えるラッチ機構付雌ネジ体と、
前記スリーブを覆う状態で前記化粧料容器本体の先端側に着脱可能に装着されるキャップと、
を有し、
前記送りネジ機構部による雄ネジ部への先方への送り力を受けて、前記雄ネジ体基部の各摺接突部を前記複数の抑え片間の各隙間を長さ方向先方に摺動させ、前記チャック片により保持され前記各抑え片が外周に当接している棒状化粧料の先端側を前記スリーブの先端開口孔から外方に繰り出し可能とするとともに、前記ラッチ機構付雌ネジ体のラッチ片により前記雄ネジ部の逆転防止機能を発揮させるようにしたことを特徴とする棒状化粧料容器。
【請求項３】
前記細芯の棒状化粧料の形態は、直径１．２ｍｍ〜３．０ｍｍ程度の円柱形状や楕円柱形状、同範囲内で三角柱形状や四角柱形状、同範囲内で六角柱形状、又は同範囲内でハート形柱形状であり、前記スリーブの各抑え片の形状は、前記細芯の棒状化粧料の円形若しくは弧状の外周、辺部、又は隅部を抑える形状であり、前記バルクチャック雄ネジ体の摺接突部は、前記スリーブの各抑え片間の各隙間に対応した形状であることを特徴とする請求項１又は２記載の棒状化粧料容器。
【考案の詳細な説明】
【技術分野】
【０００１】
本考案は、棒状化粧料容器に関し、詳しくは、例えば容器の落下時等におけるような強い衝撃力が容器に作用したような場合、容器内に装填されている細芯の棒状化粧料が折れたりする損傷を防止できるようにした棒状化粧料容器に関するものである。
【背景技術】
【０００２】
従来、細い芯状のアイライナー等の棒状化粧料について、塗布時の使用感を改善するために、棒状化粧料の状態を柔らかくする方法は有効であるが、細い芯状の棒状化粧料であるために、使用時や、店頭展示、輸送時等における落下等のような強い衝撃力が加わる状態では折れてしまうために、希望する柔らかい状態の棒状化粧料を備える棒状化粧料容器を提供することが困難であった。
【０００３】
更に詳述すると、従来においては、細芯の棒状化粧料が装填された棒状化粧料容器が床面等に水平状態で落下した場合、衝撃力は棒状化粧料の細芯部分全体に加わり、芯径が細く、柔らかい場合には、特に細芯の中央部分や細芯を固定しているチャック部分に力が集中し、棒状化粧料が破損する事態が多々生じる。
【０００４】
この細芯の中央部分やチャック部分への衝撃力を緩和するための棒状化粧料容器の構造として、スリーブ内に棒状化粧料を直接充填する化粧料容器もあるが、充填した棒状化粧料のスリーブ内壁等への貼り付きや、スリーブの形状の制限等が生じてしまう。
【０００５】
特許文献１には、筒容器と、内周面に螺合部が設けられ前記筒容器の後部に相対回転可能とされた螺合筒と、棒状化粧料の基端部を把持し前記筒容器及び前記螺合筒に収容されると共に、前記筒容器に回転不能且つ軸線方向移動可能に係合し、前記螺合筒の螺合部に螺合する螺合部が設けられた芯チャックと、を具備し、前記芯チャックは、前記棒状化粧料の基端部を把持するチャック部と、このチャック部の後端に連続し軸線方向に延在する芯チャック軸と、を備え、前記チャック部は、前記棒状化粧料の基端部が突き当てられる基部と、前記基部の外周面に周方向に沿って複数が設けられて先端側に向かって突出し前記棒状化粧料の基端部を把持する把持片と、を有し、前記筒容器は、前記棒状化粧料が進退する棒状化粧料進退孔と、前記棒状化粧料進退孔の周面に連設されて前記把持片が進退する進退溝と、を有し、前記棒状化粧料進退孔及び前記進退溝と前記螺合筒の螺合部とが半径方向に重ならない配置とされている形式の棒状化粧料繰出容器であって、前記芯チャック軸は、前記基部が後端側へ連続して延びる軸体中心部分と、前記把持片が後端側へ連続して延びる軸体周辺部分と、を有する構成の棒状化粧料繰出容器が開示されている。
【０００６】
しかし、特許文献１の棒状化粧料繰出容器の場合、前記芯チャックを内装する筒容器の外側に棒状化粧料カートリッジを配置したものであり、また、棒状化粧料が内部において進退動するカートリッジ筒は、カートリッジ筒本体とカートリッジ筒内筒が別体の二重構成で、カートリッジ筒本体内にカートリッジ筒内筒が装着されて形成されているものであり、全体として構成部品数が多く、製造コストも高騰するものと推定される。
【先行技術文献】
【特許文献】
【０００７】
【特許文献１】特開２００６−２０４９５５号公報
【考案の概要】
【考案が解決しようとする課題】
【０００８】
本考案は、従来における上記事情に鑑み開発されたものであり、構成部品数が少ない簡略構成で、かつ、低価格製造が可能な構成としつつ、例えば容器の落下時等におけるような強い衝撃力が容器に作用するような場合、容器に装填した例えば軟質の細芯のような棒状化粧料であっても、当該棒状化粧料に折れのような不都合な事態が生じることを回避可能な棒状化粧料容器を提供するものである。
【課題を解決するための手段】
【０００９】
本考案に係る棒状化粧料容器は、内部に長さ方向の雄ネジ受け部を備える円筒状の化粧料容器本体と、前記化粧料容器本体の先端側にこの化粧料容器本体と相対回転可能に配置されるとともに、内部の円形孔から間に隙間を有しつつ突設配置され装填される細芯の棒状化粧料の外周に当接させる長さ方向に沿った複数の抑え片を備える円筒状のスリーブと、前記円形孔内で前記複数の抑え片間の各隙間を長さ方向に摺動可能とした複数の花弁類似形状の摺接突部を備える雄ネジ体基部と、前記雄ネジ体基部から後方に突設され、前記化粧料容器本体の雄ネジ受け部に収納し、当該雄ネジ受け部より先方側で、かつ、前記雄ネジ体基部の後側に配置した雌ネジ部と螺合させて送りネジ機構部を構成する雄ネジ部と、前記雄ネジ体基部から先方に突設され、前記スリーブ内に装填した細芯の棒状化粧料の後端側を保持するチャック片と、を具備するバルクチャック雄ネジ体と、を有し、前記送りネジ機構部による雄ネジ部への先方への送り力を受けて、前記雄ネジ体基部の各摺接突部を前記複数の抑え片間の各隙間を長さ方向先方に摺動させ、前記チャック片により保持され前記各抑え片が外周に当接している棒状化粧料の先端側を前記スリーブの先端開口孔から外方に繰り出し可能としたこと最も主要な特徴とする。
【考案の効果】
【００１０】
請求項１記載の考案によれば、棒状化粧料容器の落下時等に伴う衝撃力の作用時において、細芯の棒状化粧料のたわみ変形を的確に防止することができ、落下時に大きな衝撃力が加わる細芯の棒状化粧料（又は例えば細芯で、かつ、軟質の棒状化粧料等）の中央部分の折れ等の損傷を確実に低減することが可能となり、更に、チャック片の部分の細芯の棒状化粧料の後端側と、この棒状化粧料の先端側とのねじれを防止することもでき、これにより、細芯の棒状化粧料のチャック片領域の破損を防止することが可能となり、全体として落下時等において装填した細芯で軟質の場合も含めた棒状化粧料に折れのような不都合な事態が生じることを回避可能な棒状化粧料容器を実現し提供することができる。
【００１１】
請求項２記載の考案によれば、請求項１記載の考案と同様な効果を奏することに加えて、前記雄ネジ部の逆転を防止し、棒状化粧料の的確な繰り出しを行うことができる棒状化粧料容器を実現し提供することができる。
【００１２】
請求項３記載の考案によれば、細芯の棒状化粧料の形態を、直径１．２ｍｍ〜３．０ｍｍ程度の円柱形状や楕円柱形状、同範囲内で三角柱形状や四角柱形状、同範囲内で六角柱形状、又は同範囲内でハート形柱形状から選定し、これに対応して、前記スリーブの各抑え片の形状を、前記細芯の棒状化粧料の円形若しくは弧状の外周、辺部、又は隅部を抑える形状とし、前記バルクチャック雄ネジ体の摺接突部を、前記スリーブの各抑え片間の各隙間に対応した形状とすることによって、細芯の棒状化粧料の形態の多様化を図り、選定の自由度を高めつつ請求項１又は２記載の考案と同様な効果を発揮させることができる棒状化粧料容器を実現し提供することができる。
【図面の簡単な説明】
【００１３】
【図１】図１は本考案の実施例に係る棒状化粧料を装填しない状態の棒状化粧料容器をその内部を透視状態として示す概略構成図である。
【図２】図２は図１のＡ−Ａ線断面図である.
【図３】図３は本実施例に係る棒状化粧料を装填した状態で、かつ、キャップ無しとした棒状化粧料容器の内部を透視状態として示す概略構成図である。
【図４】図４は本実施例に係る棒状化粧料を装填した状態の棒状化粧料容器の側面図である。
【図５】図５は図３のＢ−Ｂ線断面図である。
【図６】図６は図４のＣ−Ｃ線断面図である。
【図７】図７は図６のＤ−Ｄ線断面図である。
【図８】図８は図６のＥ−Ｅ線断面図である。
【図９】図９は図５のＦ−Ｆ線断面図である。
【図１０】図１０は本実施例に係る棒状化粧料を装填した状態で、かつ、キャップ無しとした棒状化粧料容器の斜視図である。
【図１１】図１１は本実施例に係る棒状化粧料容器におけるスリーブをその内部を透視状態として示す概略構成図である。
【図１２】図１２は本実施例に係る棒状化粧料容器におけるスリーブの側面図である。
【図１３】図１３は本実施例に係る棒状化粧料容器におけるスリーブをその内部を透視状態として示す正面図である。
【図１４】図１４は図１２のＧ−Ｇ線断面図である。
【図１５】図１５は図１３のＨ−Ｈ線断面図である。
【図１６】図１６は本実施例に係る棒状化粧料容器におけるバルクチャック雄ネジ体の斜視図である。
【図１７】図１７は本実施例に係る棒状化粧料容器におけるバルクチャック雄ネジ体の側面図である。
【図１８】図１８は本実施例に係る棒状化粧料容器におけるバルクチャック雄ネジ体の正面図である。
【図１９】図１９は図１７のＩ−Ｉ線断面図である。
【図２０】図２０は図１９のＪ−Ｊ線断面図である。
【図２１】図２１は図１９のＫ−Ｋ線断面図である。
【図２２】図２２は図１９のＬ−Ｌ線断面図である。
【図２３】図２３は本実施例に係る棒状化粧料容器におけるラッチ機構付雌ネジ体の斜視図である。
【図２４】図２４は本実施例に係る棒状化粧料容器におけるラッチ機構付雌ネジ体の側面図である。
【図２５】図２５は本実施例に係る棒状化粧料容器におけるラッチ機構付雌ネジ体の平面図である。
【図２６】図２６は図２４のＭ−Ｍ線断面図である。
【図２７】図２７は本実施例に係る棒状化粧料容器における円柱状の棒状化粧料に対する４個の抑え片を備えるスリーブの断面図である。
【図２８】図２８は本実施例に係る棒状化粧料容器における四角柱状の棒状化粧料の四辺への４個の抑え片を備えるスリーブの断面図である。
【図２９】図２９は本実施例に係る棒状化粧料容器における四角柱状の棒状化粧料の四隅部への４個の抑え片を備えるスリーブの断面図である。
【図３０】図３０は本実施例に係る棒状化粧料容器における六角柱状の棒状化粧料の六辺への６個の抑え片を備えるスリーブの断面図である。
【図３１】図３１は本実施例に係る棒状化粧料容器におけるハート形柱状の棒状化粧料の外周四箇所に対する４個の抑え片を備えるスリーブの断面図である。
【図３２】図３２は本実施例に係る棒状化粧料容器における三角柱状の棒状化粧料の三辺への３個の抑え片を備えるスリーブの断面図である。
【図３３】図３３は本実施例に係る棒状化粧料容器における三角柱状の棒状化粧料の三個の頂点部分への３個の抑え片を備えるスリーブの断面図である。
【考案を実施するための形態】
【００１４】
本考案は、構成部品数が少ない簡略、かつ、低価格製造が可能な構成でありながら、例えば落下時等におけるような強い衝撃力が作用する場合、容器に装填した例えば細芯で軟質の場合も含めた棒状化粧料に折れのような不都合な事態が生じることを回避可能な棒状化粧料容器を実現し提供するという目的を、内部に長さ方向の雄ネジ受け部を備える円筒状の化粧料容器本体と、前記化粧料容器本体の先端側にこの化粧料容器本体と相対回転可能に配置されるとともに、内部の円形孔から間に隙間を有しつつ突設配置され装填される細芯の棒状化粧料の外周に当接させる長さ方向に沿った複数の抑え片を備える円筒状のスリーブと、前記円形孔内で前記複数の抑え片間の各隙間を長さ方向に摺動可能とした複数の花弁類似形状の摺接突部を備える雄ネジ体基部と、前記雄ネジ体基部から後方に突設され、前記化粧料容器本体の雄ネジ受け部に収納し、当該雄ネジ受け部より先方側で、かつ、前記雄ネジ体基部の後側に配置した雌ネジ部と螺合させて送りネジ機構部を構成する雄ネジ部と、前記雄ネジ体基部から先方に突設され、前記スリーブ内に装填した細芯の棒状化粧料の後端側を保持するチャック片と、を具備するバルクチャック雄ネジ体と、前記化粧料容器本体内の雄ネジ受け部より先方側に設けた非ネジ内周部の位置で、かつ、前記雄ネジ体基部の後側に配置した前記雄ネジ部に係合するラッチ片を備えるラッチ機構付雌ネジ体と、前記スリーブを覆う状態で前記化粧料容器本体の先端側に着脱可能に装着されるキャップと、を有し、前記送りネジ機構部による雄ネジ部への先方への送り力を受けて、前記雄ネジ体基部の各摺接突部を前記複数の抑え片間の各隙間を長さ方向先方に摺動させ、前記チャック片により保持され前記各抑え片が外周に当接している棒状化粧料の先端側を前記スリーブの先端開口孔から外方に繰り出し可能とするとともに、前記ラッチ機構付雌ネジ体のラッチ片により前記雄ネジ部の逆転防止機能を発揮させるようにした構成により実現した。
【実施例】
【００１５】
以下、本考案の実施例に係る棒状化粧料容器１について図面を参照して説明する。
【００１６】
本実施例に係る棒状化粧料容器１は、図１乃至図４、及び図５乃至図１０に示すように、円筒状の化粧料容器本体２と、この化粧料容器本体２の後端に装着される尾栓３と、前記化粧料容器本体２の先端側にこの化粧料容器本体２と相対回転可能に配置する先細円筒状のスリーブ１１と、前記スリーブ１１を覆う状態で前記化粧料容器本体２の先端側に着脱可能に装着されるキャップ２１と、使用者の例えば化粧料容器本体２に対する回転操作に基づき、化粧料容器本体２との間に設けた送りネジ機構部による回転力を受けて、前記化粧料容器本体２、及びスリーブ１１内において長さ方向に摺動するバルクチャック雄ネジ体３１と、このバルクチャック雄ネジ体３１により後端側が保持され前記スリーブ１１内において摺動し、その先端側をスリーブ１１の先端開口孔１４から外方へ表出させ、又は先端開口孔１４内に後退させる棒状化粧料４１と、前記化粧料容器本体２内に配置した応力分散機能、ラッチ機能、回転防止機能を発揮するラッチ機構付雌ネジ体５１と、を有している。
【００１７】
なお、図１、図２においては棒状化粧料４１を内部に装填しない状態で示している。
【００１８】
前記化粧料容器本体２は、円筒状で、その先端側の筒部に前記スリーブ１１の後端側が円周方向に回転可能に装着され、内部にバルクチャック雄ネジ体３１の雄ネジ部３５を収納する雄ネジ受け部４と、この雄ネジ受け部４よりも先方側に位置するラッチ機構付雌ネジ体５１用の非ネジ内周部５と、を備えている。
【００１９】
前記ラッチ機構付雌ネジ体５１、雄ネジ部３５によりバルクチャック雄ネジ体３１についての送りネジ機構部を構成している。
【００２０】
次に、前記スリーブ１１について図１１乃至図１５を参照して詳述する。
【００２１】
図１１乃至図１５に示すように、前記化粧料容器本体２の先端側にこの化粧料容器本体２と相対回転可能に前記スリーブ１１の後端側の円筒部１５を装着するものである。
【００２２】
前記スリーブ１１は、先細円筒状に形成され、その全長にわたる内部には棒状化粧料４１が進退動可能で、かつ、棒状化粧料４１の直径より大きな内径を有する円形孔１２を設けている。
【００２３】
また、前記スリーブ１１の内周には前記円形孔１２の内壁面から中心方向に向けて突出端側を前記棒状化粧料４１の外周に当接させる複数（４個）の抑え片１３を円周方向で所定の間隔（本実施例では円周方向で９０度間隔）をもって長さ方向に延在する態様で突設し、複数の抑え片１３間の各隙間を後述するバルクチャック雄ネジ体３１における雄ネジ体基部３２の複数の花弁類似形状の摺接突部３３が摺動可能に構成している。
【００２４】
前記抑え片１３の形成範囲は、図１３、図１４に示すように、前記スリーブ１１の円筒部１５の開口端から、同じく前記スリーブ１１の先細円筒状部分の先端側の端面である前記棒状化粧料４１が表出する先端開口孔１４の近傍位置までとしている。
【００２５】
次に、前記バルクチャック雄ネジ体３１について、図１６乃至図２２を参照して詳述する。
【００２６】
前記バルクチャック雄ネジ体３１は、図１６乃至図２２に示すように、外周部が前記スリーブ１１における複数の抑え片１３の位置を除いた前記円形孔１２の内壁面に接する例えば複数個（４個）の花弁類似形状の摺接突部３３を有し、かつ、前記摺接突部３３を前記スリーブ１１における複数の抑え片１３間の隙間を摺動可能とし、花弁類似形状とした雄ネジ体基部３２と、この雄ネジ体基部３２から先方に向けて突設した前記細芯の棒状化粧料４１の後端部側をチャックし保持する例えば４片等分割配置で弾性を有するチャック片３４と、前記雄ネジ体基部３２の中央部から後方に向けて突設させ前記化粧料容器本体２内の雄ネジ受け部に収納し、前記ラッチ機構付雌ネジ体５１の後述する嵌合突片（雌ネジ部）５４ａと螺合させる棒ネジ状の雄ネジ部３５と、を有している。
【００２７】
次に、前記ラッチ機構付雌ネジ体５１について、図２３乃至図２６を参照して詳述する。
【００２８】
前記ラッチ機構付雌ネジ体５１は、図２３乃至図２６に示すように、外周凹凸筒形状で、中心部に前記雄ネジ部３５が貫通可能な雌ネジ孔部５３を有する雌ネジ本体５２と、この雌ネジ本体５２から後方に向けて、かつ、前記雄ネジ部３５の外周に当接させるように突出させた例えば１８０度対向配置の一対のラッチ片５４と、を有している。
【００２９】
前記ラッチ機構付雌ネジ体５１は、前記化粧料容器本体２内の雄ネジ受け部４より先方側に設けた非ネジ内周部５の位置で、かつ、前記雄ネジ体基部３２の後側に固定せずに配置している。
【００３０】
前記外周凹凸筒形状の雌ネジ本体５２は、その外周部に前記非ネジ内周部５の内壁面に当接させる回転防止機能を発揮させるための例えば６個の当接突条部５２ａを所定の間隔をもって設けている。
【００３１】
また、前記一対のラッチ片５４は、各々前記雄ネジ部３５の外周の周りに嵌合し、ラッチ機能を発揮させるための外形が円形凸面状を呈する嵌合突片（雌ネジ部）５４ａを１８０度対向配置に具備し、雌ネジ部を構成している。
【００３２】
次に、前記スリーブ１１の各種の実施形態について図２７乃至図３３を参照して説明する。
【００３３】
図２７は本実施例における前記円柱状の棒状化粧料４１に対する４個の抑え片１３を備える既述したスリーブ１１を示すものである。
【００３４】
図２８は四角柱状の棒状化粧料４１Ａを使用する場合における棒状化粧料４１Ａの四辺への４個の角形突片状の抑え片１３Ａを備えるスリーブ１１Ａを示すものである。
【００３５】
図２９は四角柱状の棒状化粧料４１Ａを使用する場合における棒状化粧料４１Ａの四隅部への４個の９０度凹陥状の抑え片１３Ｂを備えるスリーブ１１Ｂを示すものである。
【００３６】
図３０は六角柱状の棒状化粧料４１Ｂを使用する場合における棒状化粧料４１Ｂの六辺への６個の角形突片状の抑え片１３Ｃを備えるスリーブ１１Ｃを示すものである。
【００３７】
図３１はハート形柱状の棒状化粧料４１Ｃを使用する場合における棒状化粧料４１Ｃ外周四箇所に対する４個の角形突片状の抑え片１３Ｄを備えるスリーブ１１Ｄを示すものである。
【００３８】
図３２は三角柱状（正三角形柱状）の棒状化粧料４１Ｄを使用する場合における棒状化粧料４１Ｄの三辺への３個の角形突片状の抑え片１３Ｅを備えるスリーブ１１Ｅを示すものである。
【００３９】
図３３は三角柱状の棒状化粧料４１Ｄを使用する場合における棒状化粧料４１Ｄの三個の頂点部分への３個の例えば６０度凹陥状の抑え片１３Ｆを備えるスリーブ１１Ｆを示すものである。
【００４０】
なお、図２８乃至図３３に示す各スリーブ１１Ａ乃至１１Ｆを各々使用する場合、前記バルクチャック雄ネジ体３１としては、図２８乃至図３３に示す各抑え片の間の隙間を摺動可能な形状の花弁類似形状の摺接突部を備えるものを採用するものである。
【００４１】
上述した本実施例に係る棒状化粧料容器１によれば、前記スリーブ１１の内周部に、棒状化粧料４１の外周に当接する複数の抑え片１３を円周方向で所定の間隔をもって長さ方向に突設し、複数の抑え片１３間の各隙間を雄ネジ体基部３２の複数の花弁類似形状の摺接突部３３が摺動可能に構成するとともに、前記バルクチャック雄ネジ体３１における前記スリーブ１１内を摺動する雄ネジ体基部３２の外周部が前記スリーブ１１における複数の抑え片１３の位置を除いた内周部に接するように構成したことにより、前記スリーブ１１の円形孔１２の内壁と細芯の棒状化粧料４１の外周との間の隙間を最小限にしたものである。
【００４２】
このような構成部品数が少なく簡略、かつ、低価格製造が可能な化粧料容器本体２、スリーブ１１、バルクチャック雄ネジ体３１からなる構成により、棒状化粧料容器１の落下時等に伴う衝撃力の作用時において、細芯の棒状化粧料４１のたわみ変形を的確に防止することができ、落下時に大きな衝撃力が加わる細芯の棒状化粧料４１（例えば又は細芯で、かつ、軟質の棒状化粧料４１）の中央部分の折れ等の損傷を確実に低減することが可能となる。
【００４３】
また、棒状化粧料４１の後端部を保持しているバルクチャック雄ネジ体３１におけるチャック片３４についても、落下時に細芯の棒状化粧料４１を保持している根本部分に対し剪断方向の力が加わることになるが、既述したようにスリーブ１１の円形孔１２の内壁と細芯の棒状化粧料４１の外周との間の隙間を最小限にしたことに加え、バルクチャック雄ネジ体３１の雄ネジ部３５を収納する化粧料容器本体２の雄ネジ受け部４が棒状化粧料容器１の落下等による衝撃力発生時に前記雄ネジ部３５の後端側のブレを防止するようにしたことによって、前記チャック片３４の部分の細芯の棒状化粧料４１の後端側と、この棒状化粧料４１の先端側とのねじれを防止することができ、これにより、細芯の棒状化粧料４１のチャック片３４領域の破損を防止することが可能となる。
【００４４】
更に、外周凹凸筒形状で、前記雄ネジ部３５の外周に当接する一対のラッチ片５４を後方に突出させたラッチ機構付雌ネジ体５１を、前記化粧料容器本体２内の雄ネジ受け部４より先方側に設けた非ネジ内周部５の位置で、かつ、前記雄ネジ体基部３２の後側に固定せずに配置することで、前記雄ネジ部３５全体が受ける衝撃力を一点に集中させず、多方向に分散することができ、装填された細芯の棒状化粧料４１に作用する落下時等の衝撃力を緩和させることも可能となる。
【００４５】
なお、前記ラッチ機構付雌ネジ体５１の当接突条部５２ａ、及び一対のラッチ片５４は、前記雄ネジ部３５の逆転防止機能を発揮するものである。
【００４６】
上述した本実施例において、細芯の棒状化粧料４１の形態としては、例えば直径１．２ｍｍ〜３．０ｍｍ程度の円柱形状や楕円柱形状、同範囲内で三角柱形状や四角柱形状、同範囲内で六角柱形状、同範囲内でハート形柱形状等の例を挙げることができる。
【００４７】
これにより、細芯の棒状化粧料４１等の形態の多様化を図り、選定の自由度を高めることができる。
【００４８】
この他、細芯の棒状化粧料４１の外周からスリーブ１１の円形孔１２の内壁までの距離のコントロール、前記雄ネジ部３５の後端部分の倒れ防止支持等により、上述した場合と同様な損傷防止効果を発揮させることが可能である。
【産業上の利用可能性】
【００４９】
本考案の棒状化粧料容器は、口紅、アイライナー等各種の使用目的を持った細芯の棒状化粧料を装填する棒状化粧料容器として広範に利用可能である。
【符号の説明】
【００５０】
１    棒状化粧料容器
２    化粧料容器本体
３    尾栓
４    雄ネジ受け部
５    非ネジ内周部
１１    スリーブ
１１Ａ  スリーブ
１１Ｂ  スリーブ
１１Ｃ  スリーブ
１１Ｄ  スリーブ
１１Ｅ  スリーブ
１１Ｆ  スリーブ
１２    円形孔
１３    抑え片
１３Ａ  抑え片
１３Ｂ  抑え片
１３Ｃ  抑え片
１３Ｄ  抑え片
１３Ｅ  抑え片
１３Ｆ  抑え片
１４    先端開口孔
１５    円筒部
２１    キャップ
３１    バルクチャック雄ネジ体
３２    雄ネジ体基部
３３    摺接突部
３４    チャック片
３５    雄ネジ部
４１    棒状化粧料
４１Ａ  棒状化粧料
４１Ｂ  棒状化粧料
４１Ｃ  棒状化粧料
４１Ｄ  棒状化粧料
５１    ラッチ機構付雌ネジ体
５２    雌ネジ本体
５２ａ  当接突条部
５３    雌ネジ孔部
５４    ラッチ片
５４ａ  嵌合突片（雌ネジ部）
【図１】
0003221247.tif 000003
【図２】
0003221247.tif 000004
【図３】
0003221247.tif 000005
【図４】
0003221247.tif 000006
【図５】
0003221247.tif 000007
【図６】
0003221247.tif 000008
【図７】
0003221247.tif 000009
【図８】
0003221247.tif 000010
【図９】
0003221247.tif 000011
【図１０】
0003221247.tif 000012
【図１１】
0003221247.tif 000013
【図１２】
0003221247.tif 000014
【図１３】
0003221247.tif 000015
【図１４】
0003221247.tif 000016
【図１５】
0003221247.tif 000017
【図１６】
0003221247.tif 000018
【図１７】
0003221247.tif 000019
【図１８】
0003221247.tif 000020
【図１９】
0003221247.tif 000021
【図２０】
0003221247.tif 000022
【図２１】
0003221247.tif 000023
【図２２】
0003221247.tif 000024
【図２３】
0003221247.tif 000025
【図２４】
0003221247.tif 000026
【図２５】
0003221247.tif 000027
【図２６】
0003221247.tif 000028
【図２７】
0003221247.tif 000029
【図２８】
0003221247.tif 000030
【図２９】
0003221247.tif 000031
【図３０】
0003221247.tif 000032
【図３１】
0003221247.tif 000033
【図３２】
0003221247.tif 000034
【図３３】
0003221247.tif 000035
【手続補正書】
【提出日】平成31年2月22日(2019.2.22)
【手続補正１】
【補正対象書類名】図面
【補正対象項目名】図３
【補正方法】変更
【補正の内容】
【図３】
0003221247.tif 000036